(57)【要約】【課題】  ブースの設計、大きさに制約を与えることなく、共用墓石の正面側からメンテナンス作業が行える自動搬送納骨堂に用いる共用墓石を提供する。【解決手段】  この発明は、堂内に設置される共用墓石１０であって、共用墓石１０は、石塔状の本体１とその正面に配される香炉台４とを有し、本体１は、左右の柱部１５と、天板５と、天板に取り付けられる上側前面部６と、左右の柱部１５間に嵌め込まれる下側前板部３とからなり、下側前板部３の上端と、上側前面部６の下端と、対向する柱部１５間との間に、窓空間が形成され、窓空間に墓碑銘板が露出する窓部２１を有する窓枠２０が装着され、共用墓石の背面部の空間に、遺骨収納厨子を搬送する搬入コンベア装置が設置され、香炉台４と下側前板部３は、移動可能に設置されている。【選択図】    図９
2019073955.tif 000002
【特許請求の範囲】
【請求項１】
堂内に設置される共用墓石であって、
前記共用墓石は、石塔状の本体とその正面に配される香炉台とを有し、
前記本体は、左右の柱部と、天板と、天板に取り付けられる上側前面部と、左右の柱部間に嵌め込まれる下側前板部とからなり、
前記下側前板部の上端と、上側前面部の下端と、対向する柱部間との間に、窓空間が形成され、
前記窓空間に墓碑銘板が露出する窓部を有する窓枠が装着され、
前記共用墓石の背面部の空間に、遺骨収納厨子を搬送する搬入コンベア装置が設置され、前記香炉台と下側前板部は、移動可能に設置されていることを特徴とする共用墓石。
【請求項２】
前記柱部は、前柱、中柱、後柱の３本からなり、前記前柱には、前記天板の先端突部がはめ込まれる切り込みが設けられ、前記中柱、後柱は、前記天板の厚さ分だけ前記前柱より短く形成されていることを特徴とする請求項１に記載の共用墓石。
【請求項３】
左右の柱部間の幅に対応して、前記天板に凹部が設けられ、前記上側前面部は、上側前板部と凹部に嵌め込まれる水平部とからなることを特徴とする請求項１または２に記載の共用墓石。
【請求項４】
前記下側前板部は、前記柱部間の幅に対応する差し込み部が設けられていることを特徴とする請求項１〜３のいずれか１項に記載の共用墓石。
【発明の詳細な説明】
【技術分野】
【０００１】
この発明は、共用墓石に関し、より詳細には、自動搬送式納骨堂におけるメンテナンスが容易に行える共用墓石に関するものである。
【背景技術】
【０００２】
墓石毎に骨壺を収めた野外墓地に代わり、骨壺を収めた多数の厨子を建物内に収容し、墓参に際して、選択された厨子を共用墓石まで自動的に搬送して、共用墓石に組み込む自動搬送式納骨堂が注目されている。特に、狭い敷地の中に多数の遺骨を安置することができるため、墓の用地が少ない都市部において、納骨を行うことができる場所を提供することができる。
【０００３】
自動搬送式納骨堂は、例えば、特許文献１に開示されているように、遺骨を厨子に収納し、共同で使用する共用墓石へ厨子を自動搬送するもので、参拝するためには、参拝者がカードを読み取らせることにより、厨子を選択して共用墓石まで自動搬送させる。そして、厨子が共用墓石に装着され、共用墓石に設けられた窓部に墓碑が刻印された墓碑銘板が露出するようにした段階で参拝室の扉が開き、参拝の準備が整うようにしている。
【０００４】
上記した自動搬送式納骨堂につき、図１及び図２を参照して説明する。
【０００５】
自動搬送式納骨堂１１０は、堂内に設置され正面に窓部１１２を設けた共用墓石１１４と、それぞれ墓碑が刻印された墓碑銘板を取付けた複数の遺骨収納厨子１１８とを有し、複数の遺骨収納厨子１１８の中から参拝者が選択した遺骨収納厨子１１８を堂内で自動搬送し、共用墓石１１４に組み込まれ、刻印された墓碑が窓部１１２に露出するようにしている。
【０００６】
図１に示すように、自動搬送式納骨堂１１０は、仕切壁１７２によって互いに仕切られた共用墓石１１４と、共用墓石１１４全体が収容されるブースＢと、共用墓石１１４に対して択一的に着脱される遺骨収納厨子１１８と、で構成される。ブースＢは、背板の上下に天板と基台が設置され、これらの間に固定パネル１７４と扉１５２とを配置している。図１においては、ブースＢと共用墓石１１４は１つ表示しているが、自動搬送式納骨堂１１０は、複数のブースＢと共用墓石１１４を備えている。
【０００７】
共用墓石１１４は、石塔状の本体１１６とその正面に配される香炉台１２０と、抹香入れ１７８と両端の花立て１７６から構成され、本体１１６の正面には遺骨収納厨子１１８を共用墓石１１４の背面から嵌め込むための窓部１１２が設けられる。遺骨収納厨子１１８は内部に骨壺を収容可能な容器状に構成され、正面には家名、家紋などを表示する銘板部分が設けられ、共用墓石１１４に嵌め込んだ際に銘板部分が窓部１１２に露出するようにしている。各部材は石材により構成され、家名、家紋などは銘板部分に刻設される。
【０００８】
遺骨収納厨子１１８は建物内に、例えば、納骨庫１１１内のラックに多数収容され、選択される各々の遺骨収納厨子１１８は建物内を循環するコンベア状の搬送装置に載置され、共用墓石１１４の背面まで搬送路１６４を介して搬送され、進入路１６２から共用墓石１１４の窓部１１２内に押し出されて嵌め込まれるようにしている。
【０００９】
図２に示すように、共用墓石１１４には、一端の開口が窓部１１２を構成する、断面矩形の貫通穴１０４ａが設けられ、貫通穴１０４ａを構成する共用墓石１１４の底内面は、水平に配置され、共用墓石１１４の裏面１６０の貫通穴１０４ａの開口の底面レベルに、
共用墓石１１４の裏面１６０まで及ぶ厨子搬送用コンベア１５８が設けられる。これにより、遺骨収納厨子１１８が厨子搬送用コンベア１５８により共用墓石１１４の窓部１１２に納骨庫１１１の保管位置から自動搬送され、参拝終了後には窓部１１２から保管位置に自動搬送されるようにしている。
【００１０】
上記したように、自動搬送式納骨堂１１０は、共用墓石１１４の背面側に厨子搬送用コンベア１５８などの搬送機器が設けられている。
【００１１】
上記した共用墓石１１４は、石塔状の本体１１６とその正面に配される香炉台１２０とが配置されている。このため、共用墓石１１４の背面側に設けられている厨子搬送用コンベア１５８のメンテナンスを行う場合には、共用墓石１１４の背面側にメンテナンス要員が入り込む必要がある。
【００１２】
ブースＢに共用墓石１１４を設置した後は、共用墓石１１４を移動させることは難しい。このため、共用墓石１１４の正面側からメンテナンス作業を行おうとすると、共用墓石１１４を解体若しくは撤去するしかなく、その作業が大変煩わしいものとなっていた。そこで、共用墓石１１４の背面にメンテナンス要員が入り込めるように、共用墓石１１４が設置されている場所とは異なるブースＢの位置にメンテナンス要員が入り込めるような出入り口を設けていた。
【先行技術文献】
【特許文献】
【００１３】
【特許文献１】特開２０１７−３６５９３号公報
【発明の概要】
【発明が解決しようとする課題】
【００１４】
メンテナンス作業の際に、その都度共用墓石１１４を解体若しくは撤去するのは作業性から好ましくない。また、ブースＢにメンテナンス要員が入り込めるような出入り口を設ける場合には、ブースＢの設計に制約が生じ、また、ブースＢの大きさもその分大きくなるなどの難点がある。
【００１５】
この発明は、ブースの設計、大きさに制約を与えることなく、共用墓石の正面側からメンテナンス作業が行える自動搬送式納骨堂に用いられる共用墓石を提供することを課題とする。
【課題を解決するための手段】
【００１６】
この発明は、堂内に設置される共用墓石であって、前記共用墓石は、石塔状の本体とその正面に配される香炉台とを有し、前記本体は、左右の柱部と、天板と、天板に取り付けられる上側前面部と、左右の柱部間に嵌め込まれる下側前板部とからなり、前記下側前板部の上端と、上側前面部の下端と、対向する柱部間との間に、窓空間が形成され、前記窓空間に墓碑銘板が露出する窓部を有する窓枠が装着され、前記共用墓石の背面部の空間に、遺骨収納厨子を搬送する搬入コンベア装置が設置され、前記香炉台と下側前板部は、移動可能に設置されていることを特徴とする。
【００１７】
また、前記柱部は、前柱、中柱、後柱の３本からなり、前記前柱には、前記天板の先端突部がはめ込まれる切り込みが設けられ、前記中柱、後柱は、前記天板の厚さ分だけ前記前柱より短く形成すればよい。
【００１８】
また、左右の柱部間の幅に対応して、前記天板に凹部が設けられ、前記上側前面部は、上側前板部と凹部に嵌め込まれる水平部とからなる。
【００１９】
前記下側前板部は、前記柱部間の幅に対応する差し込み部を設ければよい。
【発明の効果】
【００２０】
この発明は、香炉台と下側前板部を移動可能にすることで、メンテナンス時には、香炉台と下側前板部を移動させ、共用墓石の前面の下方部を開口させることができる。この下側前板部を外した開口部からメンテナンス作業を行うことができる。
【図面の簡単な説明】
【００２１】
【図１】従来の自動搬送式納骨堂において、共用墓石の遺骨収集厨子が配置された状態を示す概略的な横断面図である。
【図２】従来の自動搬送式納骨堂において、共用墓石の遺骨収集厨子が配置された状態を示す概略的な縦断面図である。
【図３】この発明の実施の形態の自動搬送式納骨堂の参拝ブースを示す斜視図である。
【図４】この発明の実施の形態の自動搬送式納骨堂に用いられる共用墓石を示す斜視図である。
【図５】この発明の実施の形態の自動搬送式納骨堂に用いられる共用墓石を示す正面図である。
【図６】この発明の実施の形態の自動搬送式納骨堂に用いられる共用墓石を背面側から見た斜視図である。
【図７】図５のＶＩＩ−ＶＩＩ線断面図である。
【図８】この発明の実施の形態の自動搬送式納骨堂に用いられる共用墓石の窓部部分の拡大断面図である。
【図９】この発明の実施の形態の自動搬送式納骨堂に用いられる共用墓石において、香炉台と下側前板部を移動させた状態を示す分解斜視図である。
【図１０】この発明の実施の形態の自動搬送式納骨堂に用いられる共用墓石において、香炉台と下側前板部を移動させた状態を示す断面図である。
【図１１】この発明の実施の形態の自動搬送式納骨堂に用いられる共用墓石の分解斜視図である。
【発明を実施するための形態】
【００２２】
この発明の実施の形態について図面を参照しながら詳細に説明する。なお、図中同一または相当部分には同一符号を付し、説明の重複を避けるためにその説明は繰返さない。
【００２３】
自動搬送式納骨堂６０は、堂内に設置され正面に窓部２１を設けた共用墓石１０と、それぞれ、墓碑が刻印された墓碑銘板３０を取付けた複数の遺骨収納厨子３１とを有し、複数の遺骨収納厨子３１の中から参拝者が選択した遺骨収納厨子３１を堂内で自動搬送し、共用墓石１０に組み込まれ、墓碑が刻印された墓碑銘板３０が窓部２１に露出するようにしている。
【００２４】
図３に示すように、自動搬送式納骨堂６０は、仕切壁６１によって互いに仕切られた共用墓石１０と、共用墓石１０全体が収容されるブースＢと、共用墓石１０に対して択一的に着脱される遺骨収納厨子３１（図７、図８参照）と、を備える。
【００２５】
ブースＢは、背板の上下に天板と基台が設置され、これらの間に扉（図示しない）とを配置している。図３においては、ブースＢと共用墓石１０は１つ表示しているが、自動搬送式納骨堂６０は、複数のブースＢと共用墓石１０を備えている。
【００２６】
共用墓石１０は、石塔状の本体１とその正面に配される香炉台４と、両端の花立て台２
と、左右の側板７と、左右の基台８とから構成されている。花立て台２は、花立て２ａが、香炉台４には抹香入れ４ａが設けられている。共用墓石１０は、石で形成され、屋外の墓石と同じ趣で形成されている。このため、参拝者は、屋外の墓に参拝しているような感覚を味わうことができる。
【００２７】
本体１は、左右の柱部１５、１５と、天板５と、天板５に取り付けられる上側前面部６と、左右の柱部１５、１５間に嵌め込まれる下側前板部３とから構成されている。
【００２８】
本体１の正面には遺骨収納厨子３１に取り付けた墓碑銘板３０を共用墓石１０の背面から嵌め込むための窓部２１が設けられる。
【００２９】
遺骨収納厨子３１は内部に骨壺を収容可能な容器状に構成され、正面には家名、家紋などを表示する墓碑銘板３０が設けられ、共用墓石１０に嵌め込んだ際に墓碑銘板３０が窓部２１に露出するようにしている。各部材は石材により構成され、家名、家紋などは墓碑銘板３０に刻印される。
【００３０】
従来例と同様に、遺骨収納厨子３１は建物内の納骨庫内のラックに多数収容され、選択される各々の遺骨収納厨子３１は建物内を循環するコンベア状の搬送装置に載置され、共用墓石１０の背面まで搬送路（図示しない）を介して搬送され、搬入コンベア装置７０（図７参照）から共用墓石１０の窓部２１内に押し出されて嵌め込まれるようにしている。
【００３１】
搬入コンベア装置７０は、共用墓石１０の背面側の空間に設置される。
【００３２】
図４〜図６、図１１に示すように、共用墓石１０の本体１は、前柱１１、中柱１２、後柱１３の３本からなる柱部１５が、左右に設けられている。
【００３３】
前柱１１には、アーチ状の天板５の先端突部５ａがはめ込まれる切り込み１１ａが設けられている。そして、中柱１２、後柱１３は、天板５の厚さ分だけ前柱１１より短く形成されている。左右に前柱１１、中柱１２、後柱１３の３本からなる柱部１５を配置し、中柱１２、後柱１３の上に天板５を載せ、天板５の先端突部５１を前柱１１の切り込み１１ａに嵌め込み、前柱１１、中柱１２、後柱１３と天板５とが組み立てられる。
【００３４】
図１１に示すように、左右の柱部１５、１５間の幅に対応して、天板５に凹部５ｂが設けられている。本体１の上部に窓空間２３を形成するための上側前面部６を有する。上側前面部６は、上側前板部６ａと凹部５ｂに嵌め込まれる水平部６ｂとからなる。
【００３５】
天板５の凹部５ｂに上側前面部６の水平部６ｂを凹部５ｂに嵌め込むと、天板５の前面から下側に上側前板部６ａが位置する。上側前板部６ａの下端が窓空間２３の上側枠となる。対向する前柱１１間が窓空間２３の左右枠となる。
【００３６】
左右の柱部１５の下側には、柱部１５、１５の幅に対応する下側前板部３が嵌め込まれる。下側前板部３は、柱部１５、１５間の幅に対応する差し込み部３ａが設けられている。
【００３７】
両柱部１５、１５の下側空間に、下側前板部３の差し込み部３ａを嵌め込み、下側前板部３が両柱部１５、１５に組み込まれる。下側前板部３の上端が窓空間２３の下側枠となる。
【００３８】
下側前板部３の上端と、上側前板部６ａの下端と、対向する前柱１１間との間に、窓部を形成するための窓空間２３が形成されることになる。
【００３９】
両柱部１５、１５の両外側部には、下に基台８が設置され、この基台８の上に側板７が設置される。
【００４０】
前記した窓空間２３に、窓枠２０が嵌め込まれる。この窓枠２０には、墓碑銘板３０を露出するための窓部２１が設けられている。窓枠２０の上下の枠部は、窓枠２０を嵌め込んだ際に、下側前板部３と上側前板部６ａとそれぞれ面一になるように形成され、両側板は下側前板部３と上側前板部６ａより内側に凹み、窓部２１に嵌め込まれた墓碑銘板３０と面一になるように形成されている。
【００４１】
上下の枠部は、窓部２１に向かってテーパー状に形成され、窓部２１の端が下側前板部３と上側前板部６ａと面一になるように形成されている。
【００４２】
この窓枠２０は、納骨の際に取り外し、遺骨収納厨子３１を窓空間２３から内部に入れる。
【００４３】
窓枠２０は、下側前板部３の上部に載置され、窓空間２３に窓枠２０を挿入すると、窓枠２０の上部、下部が下側前板部３と上側前板部６ａにそれぞれ沿った状態で保持される。
【００４４】
この実施形態では、前柱１１の前面、下側前板部３、上側前板部６ａに円形となるデザイン溝３３が設けられている。
【００４５】
図８に示すように、この実施形態では、窓枠２０を窓空間２３に保持した際に、窓枠２０の脱落を防止するために、窓枠２０の背面側にフック２４が設けられている。そして、上側前板部６ａにフック係合部２５が設けられ、フック２４をフック係合部２５にかけて、窓枠２０の脱落を防止している。納骨の際には、窓部２１から手を入れてフック２４をフック係合部２５から外して、窓枠２０を取り外す。尚、左右の前柱１１にフック係合部２５を設け、窓枠２０の両側にフック２４を設けてもよい。
【００４６】
上記したように、共用墓石１０の背面部の空間に、遺骨収納厨子３１を搬送する搬入コンベア装置７０が設置される。
【００４７】
このように、この実施形態の共用墓石１０は、図１１に示すように、各部材が独立して形成されている。そして、各部材を参拝ブースＢまで搬入し、所定の位置で組み立てて、図３に示す共用墓石１０を参拝ブースＢ内に設置することができる。
【００４８】
自動搬送式納骨堂６０は、建物の内部に参拝ブースＢを複数設け、各参拝ブースＢに、共用墓石１０を設置する。この共用墓石１０の設置の際には、本実施形態では、各部材が独立しているので、エレベータを用いて柱部１５など各部材を所定の参拝ブースＢが設けられた階まで搬入することができる。このため、搬入作業が容易に行える。
【００４９】
この実施形態の共用墓石１０は、組み立てた後、少なくとも香炉台４と下側前板部３を移動可能に構成している。
【００５０】
このように、香炉台４と下側前板部３を移動可能にすることで、図９及び図１０に示すように、メンテナンス時には、共用墓石１０自体を解体若しくは撤去することなく、簡単に移動させることができる香炉台４と下側前板部３を移動させ、共用墓石１０の前面の下方部を開口させることができる。下側前板部３を外した開口部３５からメンテナンス作業を行うことができる。また、作業員が共用墓石１０の背面にも入り込むことができる。
【００５１】
このように、香炉台４と下側前板部３が設けられている共用墓石１０の正面側からメンテナンス作業を行うことができるので、参拝ブースＢの設計の自由度が上昇する。また、メンテナンス以外の時には、石材の下側前板部３が開口部３５を閉塞しているので、参拝者にメンテナンス用の開口部３５があることを認識させることはない。このため、厳かな共用墓石１０のデザインにすることができる。
【００５２】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【産業上の利用可能性】
【００５３】
この発明の共用墓石は、自動搬送式納骨堂に用いられる。
【符号の説明】
【００５４】
１        ：本体
２        ：花立て台
２ａ      ：花立て
３        ：下側前板部
３ａ      ：込み部
４        ：香炉台
５        ：天板
５ａ      ：先端突部
５ｂ      ：凹部
６        ：上側前面部
６ａ      ：上側前板部
６ｂ      ：水平部
７        ：側板
８        ：基台
１０      ：共用墓石
１１      ：前柱
１１ａ    ：切り込み
１２      ：中柱
１３      ：後柱
１５      ：柱部
２０      ：窓枠
２０ａ    ：枠部
２０ｂ    ：枠部
２１      ：窓部
２３      ：窓空間
３０      ：墓碑銘板
３１      ：遺骨収納厨子
【図１】
2019073955.tif 000003
【図２】
2019073955.tif 000004
【図３】
2019073955.tif 000005
【図４】
2019073955.tif 000006
【図５】
2019073955.tif 000007
【図６】
2019073955.tif 000008
【図７】
2019073955.tif 000009
【図８】
2019073955.tif 000010
【図９】
2019073955.tif 000011
【図１０】
2019073955.tif 000012
【図１１】
2019073955.tif 000013